(57)【要約】【課題】回転式揚重機のチェーンケースや管材等その他の資材の揚重作業を上下にスライドさせるクライミング式の揚重を容易にしようとするものである。【解決手段】回転式揚重機のチェーンケースや管材等その他の資材の揚重を上下にスライドさせるクライミング式の揚重を容易にしようとするために、揚重架台本体に設けた回転軸金棒には回転式揚重機の下部本体の電動ギャモーターの下部歯車と手動式の減速機の歯車を利用して駆動するためのクライミング駆動用歯車とチェーンと下部クライミング用歯車を設け、揚重架台本体と取り付く下部ガイド板の上部に上部クライミング用歯車とクライミング用チェーンを設け、上部と下部クライミング用歯車を巻き下部ガイド板の表と裏を輪にして回転させて、その回転しているクライミング用チェーンの穴と合わせた穴を設けた金具と荷物を固定してスライドさせるスライド用ガイド金具とガイド板を設け、連続した上下のスライドさせる様に構成する。また、揚重架台本体は、回転式揚重機の下部本体を回転式揚重機用とクライミング式揚重装置用の二通りに取り付ける様に設ける。【選択図】　図２
2004099313.tif 000002
【特許請求の範囲】
【請求項１】
（イ）　回転式揚重機の揚重用チェーンやチェーンケースの組み立て、解体及び高さの盛替えの作業に、チェーンケースをガイドして上下にスライドさせるための上部ガイド板と下部ガイド板を設け、使用目的の高まで垂直に取り付けることができる様に、両ガイド板の上下にガイド板同士を連結するための差込式の両ガイド板の上部の連結凸金具と下部の連結凹金具と、両ガイド板の固定受け金具を連結凹金具と一体にして設ける。
（ロ）　両ガイド板を建物や仮設施設及び足場等に取り付けるための金具と、両ガイド板を連結して固定するための固定金具を一体にして設ける。
（ハ）　下部のガイド板は、チェーンケースを上下にスライドさせる長さに設け、上部には、クライミング時にチェーンケースを一時固定するためのチェーンケースの一時固定受け金具と、その下にクライミング用チェーンを通して下部ガイド板の表と裏を回転（正転及び逆転）させるための穴と上部クライミング用歯車を固定して設け、また下部ガイド板の下部を固定するための下部ガイド板の下部固定金具及びボルト穴を設け、固定するための下部ガイド板の固定金具及びボルトと、チェーンケースのスライド用ガイド金具の差込口を設ける。
（ニ）　最下部には回転式揚重機とクライミング式揚重装置の両用の揚重架台本体を設け、揚重架台本体には建物や仮設施設及び足場等に取り付けるための揚重架台本体の取り付け金具と、回転式揚重機用とクライミング式揚重装置用の二通りの回転式揚重機の下部本体の取り付け受け金具を設け、下部のガイド板の固定金具及びボルト穴を、固定するための受け固定金具及びボルト穴を設け、その下に回転軸金棒と下部クライミング用歯車を設け、下部クライミング用歯車を回転（正転及び逆転）させるため電動ギャモーターの下部歯車用のクライミング駆動用歯車と、手動式の減速機の歯車用のクライミング駆動用歯車と、手動式の減速機に歯車を取り付けてそれぞれ目的の位置に一体にして設け、揚重架台本体と一体にして設ける。
（ホ）　下部ガイド板の上部クライミング用歯車と下部の揚重架台本体の下部クライミング用歯車を巻き輪にしてエンドレスの回転（正転及び逆転）をさせるためのクライミング用チェーンを設けて、回転軸金棒に設けた、回転式揚重機の下部本体の電動ギャモーターの下部歯車と組み合わせたクライミング駆動用歯車とクライミング駆動用チェーンと連結金具設け、さらにクライミング用チェーンを回転（正転及び逆転）させて微調整をするために、揚重架台本体には、手動式の減速機を設け、回転軸金棒には手動式の減速機と組み合わせたクライミング駆動用歯車と調整用チェーンと連結金具を設け、手動式の減速機の歯車を回転（正転及び逆転）させるためのハンドルを設ける。
（ヘ）　回転式揚重機には、上部チェーンケースと上部歯車を一体にして設けてあり、下部本体には中間チェーンケースの受け金具と止め金具と、電動ギャモーターには下部歯車を設け、揚重用のチェーンを調整する金具と、回転（正転と逆転と停止）の運転をするための運転スイッチと、揚重架台本体に取り付け金具が一体にして設けてあり、回転式揚重機の下部本体と上部チェーンケースの間には、中間のチェーンケースを垂直に連結して設け、揚重用のチェーンを電動ギャモーターの下部歯車と上部チェーンケースの上部歯車を巻き中間のチェーンケースの表側と裏側の内を通し輪にして連結して、調整する金具で調整して回転（正転と逆転と停止）させて表側に出て回転（正転と逆転）している吊り金具で荷物の連続した吊り上げ及び吊り下げをする。
その際、揚重用のチェーンと吊金具台車とガイドローラーは中間のチェーンケースの表側の内を回転して、吊金具だけが表側に出て回転する様に一体にした吊金具台車と吊金具が設けてあり、また、中間のチェーンケースの裏側では、吊金具台車と吊金具の全てが裏側の内を回転する様に設けている。
（ト）　チェーンケースには、チェーンケース同士を連結する金具と、さらにチェーンケース同士を連結して固定する金具を差し込んで上下を固定する様に差込式の連結固定金具とボルト穴を一体にして設け、固定するボルトを設け、裏側にはガイド板を左右からコの字型に挟みこみ外れない様に設けたスライド用ガイド金具を設け、スライド用ガイド金具には円滑にスライドさせるためにガイド金具及びガイドローラーを一体にして設ける。
（チ）　クライミング用チェーンには、一定の間隔に穴の開いたプレートを設けたチェーンを設け、一方チェーンケースには、上下にスライドさせるためにプレートの穴に合わせた穴を設けたクライミング用受け金具と、クライミング用連結金具を設け、さらにクライミング時にチェーンケースを一時固定するための一時固定金具と一時固定止金具を設けそれぞれの目的の位置に設ける。
（リ）　揚重架台本体の手動式の減速機を電動ギャモーターに替えて設け、クライミング用及び調整用に取り付けて使用することも可能である。
以上の様に構成した、回転式揚重機と手動式の減速機でクライミング用のチェーンを回転（正転及び逆転）させて揚重用のチェーンを仕込んだチェーンケースを連続して上下にスライドさせるクライミング式揚重装置と回転式揚重機の二通りの揚重をすることのできる回転式揚重機と組み合わせたクライミング式揚重装置。
【請求項２】
この際、この回転式揚重機と組み合わせたクライミング式揚重装置は、チェーンケースを対象にしてきましたが、チェーンケースをそれぞれの使用目的の揚重用の吊架台に変えたることにより、ロール材や設備や電気用の立て配管やその他長物等の荷揚げ及び荷下げをすることができて、チェーンケース以外の、資材等を上下にスライドをさせて連続した吊上げ及び吊り下げを可能にして、チェーンケースをそれぞれの使用目的の揚重用の吊架台に変えて設けることができて、荷姿により荷物をある程度組み立ててユニット状にした荷物を揚重することのできる請求項１の回転式揚重機と組み合わせたクライミング式揚重装置。
【請求項３】
回転式揚重機の下部本体の電動ギャモーターひとつで、揚重架台本体の二通りの取り付け位置に変えることで、回転式の揚重作業と、回転式揚重機の組み立て解体及び盛替え時やその他資材の上下のスライドさせるクライミング式の揚重作業の、二通りの揚重をすることのできる揚重架台本体とガイド板を設けた請求項１の回転式揚重機と組み合わせたクライミング式揚重装置。
【請求項４】
クライミング用チェーンは、プレートに穴の開いたチェーンを設け、チェーンケースには、上下にスライドさせるためにクライミング用チェーンのプレートの穴に連結するためのクライミング用受け金具を設け、クライミング用受け金具には、クライミング用チェーンのプレートの穴に合わせた穴を設け、クライミング用連結金具を設けことにより、クライミング用チェーンのプレートの穴の全てに連結することができるので、クライミング用チェーンのプレートの穴とクライミング用受け金具の穴の穴同士を調整する時間を極端に少なく連結することができる請求項１の回転式揚重機と組み合わせたクライミング式揚重装置。
【発明の詳細な説明】
【０００１】
【発明の属する技術分野】
この発明は、回転式揚重機のチェーンケースや揚重用チェーンの組み立て解体及び盛り替えの作業を容易にするためと、回転式揚重機で揚重することができない資材の荷揚げ及び荷降しをするために、現状の、チェーンケースの組み立て解体及び盛り替えの作業と、揚重用チェーンの取り付け及び取り外しの、二度行う手作業を機械化することを可能にして、一度の作業で上下にスライドさせて揚重することを可能にしようとする回転式揚重機と組み合わせたクライミング式揚重装置である。
また、回転式揚重機の揚重用チェーンをチェーンケースに仕込んで、上下にスライドさせるクライミング式の揚重をすることを可能にしようとするためと、資材の形状により回転式揚重機やその他の揚重機では容易に揚重することのできない荷物があり、クライミング式の揚重方法を加えることにより、より多くの資材の揚重をすることを可能にできる。
さらに、荷姿により荷物をある程度組み立ててユニット状にした荷物を揚重するができる様にするために回転式揚重とクライミング式揚重の作業の二通りの作業ができる様に組み合わせた揚重架台本体を設け、クライミング式揚重装置と回転式揚重機として、二通りの作業が安全で容易にできる様に構成しようとするものである。
この際、このクライミング式揚重装置はチェーンケースを対象にしていますが、使用目的の揚重用の吊り金具に替えて、スライド用カイド金具及びガイドローラーと組み合わせることにより、回転式揚重機では揚重することのできない荷姿のロール材や設備や電気用等の立て配管及び荷揚げ及び荷降ろしをすることができて、チェーンケース以外の、資材等を上や下にスライドさせて吊り上げ及び吊り下げを、上と下にスライドさせことを可能にして、現在までには、成し得ることができなかった構成で荷物の上下のスライドさせるクライミング式の揚重作業をしようとするものである。
【０００２】
【従来の技術】
従来の回転式揚重機の揚重用チェーンやチェーンケースの組み立て解体及び盛り替えの作業やその他ロール材や設備や電気用等の立て配管や荷姿により荷物をある程度組み立ててユニット状にした荷物を荷揚げ及び荷降ろしをする作業では、
（１）　建物の内外や仮設施設及び足場等の目的の高さまで、チェーンケースを連結して垂直に組み立て解体及び盛り替えの作業では、揚重（荷物の上げ下ろし）作業をする前の手作業で、高所作業となり危険作業の度合いを多くする。
（２）　チェーンケースの組み立て後に、吊り金具台車に吊り金具を取り付けた回転式揚重機の揚重用のチェーンを仕込む際には、高さが高くなればなるほど重くなり仕込みが困難になり、上部と下部にそれぞれ２〜３名の作業員を必要とし、ロープ又はホイスト等を使用しなければならなく、チェーンケースにガイドしながら揚重用のチェーンを仕込む作業となり、また、解体及び盛り替えの際にも同様の作業となり高所作業で危険を伴い、ロープ又はホイスト等と余分な道具と余分な人数を必要とする手作業が多く適当な機械や装置がない。
以上の様に、現在、回転式揚重機の揚重作業では画期的な能力を発揮しているのですが、組み立て解体及び盛り替えの作業は、手作業で時間と労力を必要とし、高所作業を伴い危険率の高い作業となっていて、その他ロール材や設備や電気用等の立て配管及び荷揚げ及び荷下げをする場合や荷姿により荷物をある程度組み立ててユニット状にした荷物を揚重する作業には適していない。
【０００３】
【発明が解決しようとする課題】
現在の回転式揚重機（登録第３０６９０２８号）では、チェーンケースや揚重チェーンを組み立て解体及び盛り替えの作業に、多大な時間と労力を必要とし、高所作業を伴い危険率の高い作業になる為に、回転式揚重機の使用を敬遠されるという欠点を解消するために、回転式揚重機自体の組み立て解体のチェーンケースや揚重用のチェーンの組み立て解体を容易にして、回転式揚重機の本体を、そのまま使用して上下にスライドさせるクライミング式の揚重ができる様にすることを課題にして研究して、回転式揚重機の組み立て解体及び盛り替えの作業時の、チェーンケースと揚重用チェーンの組み立て解体時に、別々にそれぞれに二度行う手作業を、機械化して、このクライミング式揚重装置はチェーンケースに揚重用チェーンを仕込んだ方法、荷姿により荷物をある程度組み立ててユニット状にした荷物を揚重することを容易して連続した上下のスライドをさせることを可能にしたクライミング式揚重装置としての作業を果たし、回転式揚重機として荷物の連続した吊り上げ及び吊り下げをする二通りの作業を安全に容易にすることを可能にして安全作業を目指し、時間と労力を短縮して経費の省力化をしようとするものである。
【０００４】
【課題を解決するための手段】
上記目的を達成するための手段を図面に追いながら説明すれば、
（イ）　回転式揚重機１のチェーンケースや揚重用チェーン２の組み立て、解体及び高さの盛替えの作業に、チェーンケースをガイドして上下にスライドさせるための上部ガイド板４と下部ガイド板５を設け、使用目的の高まで垂直に取り付けすることができる様に、両ガイド板の上下にガイド板同士を連結するための差込式のガイド板の上部の連結凹金具６と下部の連結凸金具７と、ガイド板の固定受け金具８を連結凹金具６と一体にして設ける。
（ロ）　ガイド板を建物や仮設施設及び足場等９に取り付けるための金具１０と、ガイド板を連結して固定するための固定金具１１を一体にして設ける。
（ハ）　下部ガイド板５は、チェーンケースを上下にスライドさせる長さに設け、上部には、クライミング時にチェーンケースを一時固定するための一時固定受け金具１２と、その下にクライミング用チェーン４０を通して下部ガイド板５の表と裏を回転（正転及び逆転）させるための穴１３と、上部クライミング用歯車１４を固定して設け、また、下部を固定するための下部固定金具及びボルト穴１５を設け、チェーンケースのスライド用ガイド金具１７の差込口１８を設ける。
（ニ）　最下部には、回転式揚重機１とクライミング式揚重装置１９の両用の揚重架台本体２０を設け、揚重架台本体２０には、建物や仮設施設及び足場等９に取り付けるための取り付け金具２１と、歯車２９を取り付けた手動式の減速機２８と、回転式揚重機１を取り付けるための回転式揚重機１用とクライミング式揚重装置１９用の二通りの回転式揚重機１用の取り付け受け金具２３とクライミング式揚重装置１９用の取り付け受け金具２４と、下部ガイド板５の下部固定金具及びボルト穴１５を一体にして設け、下部ガイド板５の下部固定金具及びボルト穴１５を固定するための下部固定受け金具及びボルト１６を設ける。
（ホ）　その下部に回転軸金棒２５を設け、下部クライミング用歯車２６と、電動ギャモーター３２の下部歯車３３用のクライミング駆動用歯車２７と、手動式の減速機２８の歯車２９用のクライミング駆動用歯車３０と、手動式の減速機２８に歯車２９を設けて、揚重架台本体２０に一体に固定して設ける。
（ヘ）　回転式揚重機１の下部本体２２には、下部本体２２を揚重架台本体２０に取り付け金具３１と、中間チェーンケース３の受け金具５７と、中間チェーンケースの止め金具５８と、電動ギャモーター３２には下部歯車３３と、揚重用のチェーン２を調整する金具３６と、回転（正転と逆転と停止）の運転をするための運転スイッチ３７が設けてあり、上部チェーンケース３４には上部歯車３５を設け、回転式揚重機１の下部本体２２と上部チェーンケース３４の間には、中間のチェーンケース３を設け揚重用のチェーン２を電動ギャモーター３２の下部歯車３３と上部チェーンケース３４の上部歯車３５を巻き中間のチェーンケース３の表側と裏側の内を通し輪にして揚重用のチェーン２の連結金具５４を設け連結して調整する金具３６で調整して回転（正転と逆転と停止）させて表側に出て回転（正転と逆転）している吊金具３９で荷物３８の連続した吊り上げ及び吊り下げをするために、吊金具台車とガイドローラーを一体にした吊金具３９が設けてあり、その際、回転中は吊金具３９だけが中間のチェーンケース３の表側に出ている。
（ト）　下部ガイド板５の上部クライミング用歯車１４と下部の揚重架台本体２０の下部クライミング用歯車２６を巻き回転（正転及び逆転）させるためのクライミング用チェーン４０と、クライミング用チェーン４０の連結金具５５を設け、回転軸金棒２５を回転（正転及び逆転）させクライミング用チェーン４０を回転（正転及び逆転）させるために、回転式揚重機１の下部本体２２の電動ギャモーター３２の下部歯車３３とクライミング駆動用歯車２７で回転（正転及び逆転）させるためのクライミング駆動用チェーン４１と連結金具５５と、手動式の減速機２９用のクライミング駆動用歯車２７と手動式の減速機２８の歯車２９で回転（正転及び逆転）させるための調整用チェーン４２と連結金具５６と、手動式の減速機２８の回転（正転及び逆転）させるためのハンドル４３を設ける。
（チ）　チェーンケースには、チェーンケース同士を連結する金具４４と、チェーンケース同士を連結して固定する金具を差し込んで上下を固定する様に差込式の連結固定金具４５にボルト穴４８を一体にして設け、固定するボルト４７を設け、裏側には両ガイド板を左右からコの字型に挟みこみ外れない様に設けたスライド用ガイド金具１７を設け、スライド用ガイド金具１７には円滑にスライドさせるためにガイド金具及びガイドローラーを一体にして設け、また、チェーンケースを、上下にスライドさせるためクライミング用チェーン４０のプレートの穴４８に合わせた穴を設けたクライミング用受け金具４９と、クライミング用連結金具５０を設け、さらにチェーンケースには、上下にスライドさせるクライミング時にチェーンケースを一時固定するための一時固定金具５１と、一時固定止金具５２をそれぞれ設ける。
（リ）　クライミング用チェーン４０には、一定の間隔でプレートに穴４８の開いたチェーンを設けることにより、複雑なアタッチメント等を設けることがなく、クライミング用チェーン４０のプレートの穴４８に合わせてクライミング用連結金具５０を容易に連結することをできる様にする。
以上の様に構成した、回転式揚重機と手動式の減速機でクライミング用のチェーンを回転（正転及び逆転）させて揚重用のチェーンを仕込んだチェーンケースを連続して上下にスライドさせるクライミング式揚重と回転式揚重の二通りの揚重作業をすることのできる回転式揚重機と組み合わせたクライミング式揚重装置を提供する。この際、手動式の減速機を電動ギャモーターに替えて構成することも可能である。
【０００５】
【発明の実施の形態】
本発明は、以上の様な構成ですから、これを使用するときは、
（イ）　現在、実用用新案の登録になっている回転式揚重機１のチェーンケースや揚重用チェーン２の組み立て解体及び盛り替えの作業を、回転式揚重機１の下部本体２２の電動ギャモーター３２を利用して安全で容易にできる様にするために、回転式揚重機１と組み合わせたクライミング式揚重装置１９は以下の様に使用します。
（ロ）　回転式揚重機１と組み合わせたクライミング式揚重装置１９で、回転式揚重機１のチェーンケースや揚重用チェーン２の組み立てるクライミング式の揚重では、建物や仮設施設及び足場等９の最下部に回転式揚重機１とクライミング式揚重装置１９の二通りの揚重架台本体２０を取り付け金具２１で取り付けて、下部ガイド板５の下部固定金具及びボルト穴１５と、揚重架台本体２０の下部ガイド板５の受け固定金具及びボルト１６に合わせて取り付けて、下部ガイド板５の上部は建物や仮設施設及び足場等９に取り付ける金具１０で取り付けて、下部ガイド板５の上部の連結凹金具６の固定受け金具８と、下部ガイド板５を固定するための金具１１で固定して垂直に取り付ける。
（ハ）　次に、取り付けてある下部ガイド板５の上部にある連結凹金具６に上部ガイド板４の下部の連結凸金具７を差し込んで連結して取り付けて、建物や仮設施設及び足場等９にガイド板を取り付ける金具１０を取り付けて、上部ガイド板４の上部の連結凹金具６のガイド板の固定受け金具８にガイド板を連結して固定するための金具１１で固定して垂直に取り付ける。順次この作業を繰り返し上部ガイド板４を使用目的の高さまで垂直に取り付ける。
（ニ）　次に、二通りある揚重架台本体２０の回転式揚重機１用の取り付け受け金具２３とクライミング式揚重装置１９用の取り付け受け金具２４の、クライミング式揚重装置１９用の取り付け受け金具２４に回転式揚重機１の下部本体２２を取り付け金具３１で取り付けて、クライミング用チェーン４０を下部ガイド板５の上部にある上部クライミング用歯車１４を巻き、クラミング用チェーン４０を通す穴１３に通して、揚重架台本体２０の回転軸金棒２５の下部クライミング用歯車２６を巻き下部ガイド板５の表と裏を輪にしてクラミング用チェーン４０の連結金具５３で連結して回転（正転及び逆転）させる様にする。
（ホ）　揚重架台本体２０の回転軸金棒２５のクライミング駆動用歯車２７と回転式揚重機１の下部本体２２の電動ギャモーター３２の下部歯車３３を、クライミング駆動用チェーン４１で巻き輪にして連結金具５５で連結して運転スイッチ３７で運転して回転（正転と逆転と停止）させて、クラミング用チェーン４０を回転（正転と逆転と停止）させる様にする。
（ヘ）　揚重用のチェーン２とチェーンケースを上にスライドさせるクライミグでは、最初に上部チェーンケース３４を下部ガイド板５のチェーンケースのスライド用ガイド金具１７の差込口１８から上部チェーンケース３４のスライド用ガイド金具１７を差し込んで、下部ガイド板５のチェーンケースの一時固定受け金具１２に、上部チェーンケース３４の一時固定金具５１を一時固定止金具５２で止めて、上部チェーンケース３４の上部歯車３５に揚重用のチェーン
３を巻き一方の端部を下部に固定する。
（ヘ）　次に、揚重用のチェーン２を中間チェーンケース３の表側と裏側の内を通しながら下部ガイド板５の両チェーンケース２のスライド用ガイド金具１７の差込口１８から中間チェーンケース３のスライド用ガイド金具１７を差し込んで、上部チェーンケース３４のチェーンケース同士を連結する差込式の連結金具４４で連結して、さらに上下を固定するための差込式連結固定金具４５を同時に連結してボルト穴を合わせて固定するボルト４７で固定する。
（ト）　その連結した中間チェーンケース３のクライミング用受け金具４９の穴とクライミング用チェーン４０のプレートの穴４８を合わせるため、回転式揚重機１の下部本体２２の電動ギャモーター３２を運転スイッチ３７を運転して、クラミング用チェーン４０を回転（正転と逆転と停止）させて穴同士を合わせてクライミング用連結金具５０で連結して、再度運転スイッチ３７で回転（正転と逆転と停止）させて微調整して下部ガイド板５のチェーンケースの一時固定受け金具１２に固定していた上部チェーンケース３４の一時固定金具５１の一時固定止金具５２を外して、揚重用のチェーン２を解釈して加えながら連結した上部チェーンケース３４と中間チェーンケース３を同時に運転スイッチ３７でクライミング用チェーン４０を回転（正転と逆転と停止）させて上にスライドさせて中間チェーンケース３の一時固定金具５１と下部ガイド板５のチェーンケースの一時固定受け金具１２が合う高さまで運転して、一時固定止金具５２で止める。
（チ）　再び、下部ガイド板５のチェーンケースのスライド用ガイド金具１７の差込口１８から中間チェーンケース３のスライド用ガイド金具１７を差し込んで、中間チェーンケース３のチェーンケース同士を連結する差込式の連結金具４４で連結して、さらに上下を固定するための差込式連結固定金具４５を同時に連結してボルト穴を合わせて固定するボルト４７で固定する。
（リ）　その連結した中間チェーンケース３のクライミング用受け金具４９の穴とクライミング用チェーン４０のプレートの穴４８を合わせるため、回転式揚重機１の下部本体２２の電動ギャモーター３２を運転スイッチ３７を運転して、クラミング用チェーン４０を回転（正転と逆転と停止）させて穴同士を合わせてクライミング用連結金具５０で連結して、再度運転スイッチ３７で回転（正転と逆転と停止）させて微調整して下部ガイド板５のチェーンケースの一時固定受け金具１２に固定していた中間チェーンケース３の一時固定金具５１の一時固定止金具５２を外して、揚重用のチェーン２を解釈して加えながら連結された上部チェーンケース３４と中間チェーンケース３を同時に運転スイッチ３７でクライミング用チェーン４０を回転（正転と逆転と停止）させて上にスライドさせて中間チェーンケース３の一時固定金具５１と下部ガイド板５のチェーンケースの一時固定受け金具１２が合う高さまで運転して、一時固定止金具５２で止める。
（ヌ）　順次の中間チェーンケース３を連結して揚重用のチェーン２を加え解釈しながら目的の高さまで繰り返して上に連続したスライドをさせて上げのクライミングをさせて、電動ギャモーター３２用のクライミング駆動用チェーン４１を外して、二通りある揚重架台本体２０の回転式揚重機１用の取り付け受け金具２３と、クライミング式揚重装置１９用の取り付け受け金具２４の、クライミング式揚重装置１９用の取り付け受け金具２４に取り付けていた回転式揚重機１の下部本体２２の取り付け金具３１を取り外して、回転式揚重機１用の取り付け受け金具２３に回転式揚重機１の下部本体２２を取り付ける金具３１で取り付ける。（ヲ）　最後に、揚重架台本体２０の回転軸金棒２５の手動式の減速機２８用のクライミング駆動用歯車３０と、手動式の減速機２８の歯車２９を調整用チェーン４２で巻き輪にして調整用チェーン４２の連結金具５６で連結して手動式のハンドル４３で回転（正転及び逆転）させる様にして、手動式の減速機２８をハンドル４３で回転させてクライミング用チェーン４０を回転させて調整して、最下部の中間チェーンケース３を回転式揚重機１の下部本体２２の中間チェーンケース３を取り付け受け金具５７に止め金具５８で取り付け、揚重用チェーン２の端部を外して電動ギャモーター３２の下部歯車３３を巻き揚重用チェーン２の連結金具５４で連結して揚重用チェーン２の調整金具３６で調整して回転式揚重機１の組み立てを完了して回転式揚重機１として連続した荷物３８の揚重作業をする。
以上の様にして回転式揚重機１の組み立てをして、又、解体は組み立て手順と全く逆の手順で行い、盛替えの際は、組み立てられている状態から組み立て及び解体の手順になります。
【０００６】
尚、本発明の実施に当たって次の様なことができる。
このクライミング式揚重装置はチェーンケースを対象にしてきましたが、使用目的の揚重用の吊り金具に替えて、スライド用カイド金具及びガイドローラーと組み合わせることにより、ロール材や設備や電気用等の立て配管及び荷揚げ及び荷下げをすることができ、荷姿により荷物をある程度組み立ててユニット状にした荷物を揚重することができる。従ってチェーンケース以外の、資材等を上や下にスライドさせて吊り上げ及び吊り下げを可能にして、クライミングチェーンのエンドレスの回転（正転及び逆転）をさせることにより、現在までには、成し得ることができなかったチェーンケース及び荷物の連続したスライドによるクライミング式の揚重作業を可能にすることを提供する。
【０００７】
【本発明の効果】
回転式揚重機を建物の内外や仮設施設や足場等に取り付けることを容易にして、組み立て解体及び盛り替えの作業時の現状は、上部と下部チェーンケースの組み立て解体と、揚重用チェーンの取り付け及び取り外しの、二度行う手作業を、機械化を可能にして一度の作業ででき、荷姿により荷物をある程度組み立ててユニット状にした荷物を揚重することができるので、労力と時間を大幅に省くことができて、連続した上と下にスライドさせることを可能にしたクライミング式揚重装置と、回転式揚重機として運転して荷物の連続した吊り上げ及び吊り下げをする二通りの作業を安全で容易にできる。
【図面の簡単な説明】
【図１】本発明の正面図
【図２】本発明の側面図
【符号の説明】
１は回転式揚重機
２は揚重用のチェーン
３は中間チェーンケース
４は上部ガイド板
５は下部ガイド板
６はガイド板の上部の連結凹金具
７はガイド板の下部の連結凸金具
８はガイド板の連結凹金具と一体の固定受け金具
９は建物や仮説施設及び足場等
１０はガイド板を建物や仮説施設及び足場等に取り付け金具
１１はガイド板を連結して固定するための金具
１２はチェーンケースの一時固定受け金具
１３は下部ガイド板のクライミング用チェーンを通す穴
１４は下部ガイド板の上部クライミング用歯車
１５は下部ガイド板の下部固定金具及びボルト穴
１６は下部ガイド板の固定受け金具及びボルト
１７はスライド用ガイド金具
１８は下部ガイド板のスライド用ガイド金具の差込口
１９はクライミング式揚重装置
２０は揚重架台本体
２１は揚重架台本体の建物や仮説施設及び足場等に取り付け金具
２２は回転式揚重機の下部本体
２３は回転式揚重機用の下部本体の取り付け受け金具
２４はクライミング式揚重装置用の取り付け受け金具
２５は回転軸金棒
２６は下部クライミング用歯車
２７はクライミング駆動用歯車
２８は手動式の減速機
２９は手動式の減速機の歯車
３０は手動式の減速機用のクライミング駆動用歯車
３１は回転式揚重機の下部本体を揚重架台本体に取り付ける金具
３２は電動ギャモーター
３３は電動ギャモーターの下部歯車
３４は上部チェーンケース
３５は上部チェーンケースの上部歯車
３６は揚重用チェーンを調整する金具
３７は回転式揚重機の運転スイッチ
３８は荷物
３９は吊金具
４０はクライミング用チェーン
４１は電動ギャモーター用のクライミング駆動用チェーン
４２は調整用チェーン
４３は手動式の減速機のハンドル
４４はチェーンケースの同士を連結する金具
４５は差込式連結固定金具
４６は差込式連結固定金具のボルト穴
４７は差込式連結固定金具のボルト穴を固定するボルト
４８はクライミング用チェーンのプレートの穴
４９はチェーンケースのクライミング用受け金具
５０はクライミング用連結金具
５１は一時固定金具
５２は一時固定止金具
５３はクライミング用チェーンの連結金具
５４は揚重用チェーンの連結金具
５５はクライミング駆動用チェーンの連結金具
５６は調整用チェーンの連結金具
５７は下部本体の中間チェーンケースの受け金具
５８は下部本体の中間チェーンケースの止め金具
【図１】
2004099313.tif 000003
【図２】
2004099313.tif 000004